【手続補正書】
【提出日】平成22年1月12日(2010.1.12)
【手続補正１】
【補正対象書類名】明細書
【補正対象項目名】特許請求の範囲
【補正方法】変更
【補正の内容】
【特許請求の範囲】
【請求項１】  第１回路と；
前記第１回路に結合され、前記第１回路がスリープ・モードに入っているとき、前記第１回路内の漏れ電流を低減し、前記第１回路がドラウジー・モードに入っているとき、前記第１回路のロジック状態を維持するコントロール回路と；
を具備することを特徴とする回路。
【請求項２】  前記コントロール回路は、スリープ・モード時に前記第１回路全体に第１電圧降下を発生させ、ドラウジー・モード時に前記第１回路全体に第２電圧降下を発生させ、前記第１電圧降下は前記第２電圧降下より大きいことを特徴とする請求項１記載の回路。
【請求項３】  前記コントロール回路はアクティブ・モード時に前記第１回路全体に第１電圧降下を発生させ、ドラウジー・モード時に前記第１回路全体に第２電圧降下を発生させ、前記第１電圧降下は前記２電圧降下より大きいことを特徴とする請求項１記載のの回路。
【請求項４】  前記第１回路および前記コントロール回路は一組の電源レールの間に結合されるように構成され、前記コントロール回路は、前記第１回路全体に、前記一組の電源レール間の電圧降下よりも小さい電圧降下を発生させる少なくとも１つの別の電源レールを提供するように構成されることを特徴とする請求項１記載の回路。
【請求項５】  前記コントロール回路は、スリープ・モード時に前記第１回路に電圧を供給するためにオンになり、前記第１回路の電流漏れを減らすためにオフになるスイッチを備えることを特徴とする請求項１記載の回路。
【請求項６】  前記コントロール回路は、ドラウジー・モード時に前記第１回路に電圧を供給するためにオンになり、スリープ・モード時にオフになるスイッチを備えることを特徴とする請求項１記載の回路。
【請求項７】  前記コントロール回路は、前記第１回路の少なくとも１つのデバイスのソース−バルク電圧を調整することを特徴とする請求項１記載の回路。
【請求項８】  第１回路と；
前記第１回路に結合された漏れ電流コントロール回路と、
を具備し、
前記漏れ電流コントロール回路は、前記第１回路が電力がオフになる第１モードに入っているとき、前記第１回路の漏れ電流を低減し、前記第１回路が第２モードに入っているとき、前記第１回路のロジック状態を保持し、
前記第２モードに入っている前記第１回路によって消費される電力は、前記第１回路がアクティブ・モードになる第３モードに入っている前記第１回路によって消費される電力より小さいことを特徴とする回路。
【請求項９】  前記漏れ電流コントロール回路は、前記第３モード時に前記第１回路全体に第１電圧降下を発生させ、前記第２モード時に前記第１回路全体に第２電圧降下を発生させ、前記第１電圧降下は前記第２電圧降下より大きいことを特徴とする請求項８記載の回路。
【請求項１０】  前記第１回路および前記漏れ電流コントロール回路は、一組の電源レールの間に結合されるように構成され、前記漏れ電流コントロール回路は、前記第１回路全体に前記一組の電源レール間の電圧降下よりも小さい電圧降下を発生させる少なくとも１つの別の電源レールを提供するように構成されることを特徴とする請求項８記載の回路。
【請求項１１】  前記漏れ電流コントロール回路は、前記第３モード時に、前記第１回路に電圧を供給するためオンになり、前記第１モード時に前記第１回路における電流漏れを減らすためオフになるスイッチを備えることを特徴とする請求項８記載の回路。
【請求項１２】  前記漏れ電流コントロール回路は、前記２モード時に前記第１回路に電圧を供給するためオンになり、前記第１回路が前記第１モードに入っている時にオフになるスイッチを備えることを特徴とする請求項８記載の回路。
【請求項１３】  前記漏れ電流コントロール回路は、前記第１回路の少なくとも１つのデバイスのソース−バルク電圧を調整することを特徴とする請求項８記載の回路。
【請求項１４】  第１回路と；
前記第１回路の電流漏れを低減するために前記第１回路を第１のモードにセットし、前記第１回路の論理状態を保持するために前記第１回路を前記第１モードとは異なる第２モードにセットし、前記第１回路を動作させるために前記第１回路を前記第１および第２モードとは異なる第３モードにセットする、第２回路と、
を具備することを特徴とする回路。
【請求項１５】  前記第２回路は、前記第１モード時に前記第１回路全体に第１電圧降下を発生させ、前記第２モード時に前記第１回路全体に第２電圧降下を発生させ、前記第１電圧降下は前記第２電圧降下より小さいことを特徴とする請求項１４記載の回路。
【請求項１６】  前記第２回路は、前記第３モード時に前記第１回路全体に第１電圧降下を発生させ、前記第２モード時に前記第１回路全体に第２電圧降下を発生させ、前記第１電圧降下は前記第２電圧降下より大きいことを特徴とする請求項１４記載の回路。
【請求項１７】  前記第１回路および前記第２回路は、一組の電源レールの間に結合されるように構成され、かつ前記第１回路全体に、前記一組の電源レール間の電圧降下よりも小さい電圧降下を発生させる少なくとも１つの別の電源レールを提供するように構成されることを特徴とする請求項１４記載の回路。
【請求項１８】  前記第２回路は、前記第３モード時に、前記第１回路に電圧を供給するためにオンになり、前記第１モード時に前記第１回路における電流漏れを減らすためにオフになるスイッチを備えることを特徴とする請求項１４記載の回路。
【請求項１９】  前記漏れ電流コントロール回路は、前記２モード時に前記第１回路に電圧を供給するためにオンになり、前記第１モード時にオフになるスイッチを備えることを特徴とする請求項１４記載の回路。
【請求項２０】  前記第２回路は、前記第１回路の少なくとも１つのデバイスのソース−バルク電圧を調整することを特徴とする請求項８記載の回路。
【請求項２１】  第１回路と；
前記第１回路の電流漏れを低減するために第１のモードに第１電圧降下を発生させ、前記第１回路の論理状態を保持するために第２電圧降下を発生させ、前記第１回路を動作させるために第３電圧降下を発生させる、第２回路と、
を具備し、
前記第１電圧降下は前記第２電圧降下より小さく、前記第２電圧降下は前記第３電圧降下より小さいことを特徴とする回路。
【請求項２２】  前記第１回路および前記第２回路は、一組の電源レールの間に結合されるように構成され、前記第２回路は、前記第１回路全体に前記一組の電源レール間の電圧降下よりも小さい電圧降下を発生させる少なくとも１つの別の電源レールを提供するように構成されることを特徴とする請求項２１記載の回路。
【請求項２３】  前記第２回路は、前記第１回路に電圧を供給して前記第１回路を動作させるためにオンになり、前記第１回路の電流漏れを減らすためにオフになるスイッチを備えることを特徴とする請求項２１記載の回路。
【請求項２４】  前記第２回路は、前記第１回路に電圧を供給し、前記第１回路の論理状態を保持するためにオンになり、前記第１回路の電流漏れを低減するためにオフになるスイッチを備えることを特徴とする請求項２１記載の回路。
【請求項２５】  前記第２回路は、前記第１回路の少なくとも１つのデバイスのソース−バルク電圧を調整することを特徴とする請求項２１記載の回路。
【請求項２６】  第１回路と；
第２回路と、
を具備し、
前記第２回路は、前記第１回路に電圧を供給して第１回路を動作させるためオンになり、前記第１回路の電流漏れを低減するためにオフになる第１スイッチを備え、かつ前記第１回路に電圧を供給して前記第１回路の論理状態を保持するためにオンになる第２スイッチを含むことを特徴とする回路。
【請求項２７】  前記第１回路および前記第２回路は、一組の電源レールの間に結合されるように構成され、前記第２回路は、前記第１回路全体に前記一組の電源レール間の電圧降下よりも小さい電圧降下を発生させる少なくとも１つの別の電源レールを提供するように構成されることを特徴とする請求項２６記載の回路。
【請求項２８】  前記第２回路は、前記第１回路の少なくとも１つのデバイスのソース−バルク電圧を調整することを特徴とする請求項２６記載の回路。
【請求項２９】  回路の電流漏れを低減させるため、前記回路全体に第１電圧降下を発生させるステップと、
前記回路に論理状態を保持するため、前記回路全体に第２電圧降下を発生させるステップと、
前記回路を動作させるため、前記回路全体に第３電圧降下を発生させるステップと、
から成り、
前記第１電圧降下は前記第２電圧降下より小さく、前記第２電圧降下は前記第３電圧降下より小さいことを特徴とする、前記回路なの電気消費量を制御する方法。
【請求項３０】
前記回路の少なくとも１つのデバイスのソース−バルク電圧を調整するステップを含むことを特徴とする請求項２９記載の方法。